(57)【要約】【課題】  小額景品の交換処理を迅速化し、景品交換カウンタの混雑を緩和するとともに、小額景品の在庫管理を適正化する。【解決手段】  遊技客が獲得した遊技媒体を計数し、計数した遊技媒体数を記録媒体１３に記録して発行する遊技媒体計数機１０と、記録媒体１３から遊技媒体数を読み取り、その景品交換処理を行う景品交換装置２０とを備える景品交換システムであって、景品交換装置２０は、記録媒体１３から読み取った遊技媒体数のうち、特殊景品に交換できない余り遊技媒体数を特定するとともに、余り遊技媒体数の範囲内で交換可能な小額景品の中から、遊技場が推奨する小額景品及び／又は小額景品の組み合わせを遊技客に提示する機能を備える。【選択図】  図５
2006346354.tif 000002
【特許請求の範囲】
【請求項１】
遊技客が獲得した遊技媒体を計数し、計数した遊技媒体数を記録媒体に記録して発行する遊技媒体計数機と、
前記記録媒体から遊技媒体数を読み取り、その景品交換処理を行う景品交換装置と、を備える景品交換システムであって、
前記景品交換装置は、
前記遊技媒体計数機で計数された遊技媒体数に基づいて、当該遊技媒体数で交換可能な特殊景品と、特殊景品に交換できない余り遊技媒体数の範囲内で交換可能な少額景品を特定する景品特定手段と、
前記余り遊技媒体数の範囲内で交換可能な小額景品の中から、一又は二以上の所定の推奨小額景品を抽出・提示する推奨小額景品提示手段と、
を備えることを特徴とする景品交換システム。
【請求項２】
前記推奨小額景品提示手段は、
各小額景品の在庫数、在庫金額、交換利益及び／又は賞味期限を参照して、前記推奨小額景品及び／又は小額景品の組み合わせを決定する請求項１記載の景品交換システム。
【請求項３】
前記景品交換装置は、
前記推奨小額景品の交換を選択した遊技客に対する所定の特典を付与する特典付与手段を備える請求項１又は２記載の景品交換システム。
【請求項４】
前記景品交換装置は、
遊技客が視認可能な遊技客用表示部と、
遊技客が操作可能な遊技客用操作部と、を備える請求項１乃至３のいずれかに記載の景品交換システム。
【請求項５】
前記景品交換装置は、
遊技客の要求に応じて、前記余り遊技媒体数に相当する金額を所定の団体に寄付する余り遊技媒体寄付手段を備える請求項１乃至４のいずれかに記載の景品交換システム。
【請求項６】
前記景品交換装置は、
遊技場の寄付行為を統括する第三者機関の寄付管理サーバに接続され、当該寄付管理サーバに対して寄付依頼を行う請求項５記載の景品交換システム。
【請求項７】
前記景品交換装置は、
前記寄付管理サーバから受信した複数の団体名を表示し、遊技客による団体名の選択操作に応じて、選択された団体に寄付を行う請求項６記載の景品交換システム。
【請求項８】
前記景品交換装置は、
前記寄付管理サーバから受信した遊技場又は遊技者の累積寄付金額を表示する請求項６又は７記載の景品交換システム。
【請求項９】
遊技媒体計数機で発行される記録媒体から遊技媒体数を読み取り、その景品交換処理を行う景品交換装置であって、
前記遊技媒体計数機で計数された遊技媒体数に基づいて、当該遊技媒体数で交換可能な特殊景品と、特殊景品に交換できない余り遊技媒体数の範囲内で交換可能な少額景品を特定する景品特定手段と、
前記余り遊技媒体数の範囲内で交換可能な小額景品の中から、一又は二以上の所定の推奨小額景品を抽出・提示する推奨小額景品提示手段と、
を備えることを特徴とする景品交換装置。
【発明の詳細な説明】
【技術分野】
【０００１】
本発明は、遊技客が獲得した遊技媒体の景品交換処理を行うための景品交換システム及び景品交換装置に関する。
【背景技術】
【０００２】
一般に、パチンコ機やパチスロ機（スロットマシン）が設置された遊技場（ホール）では、遊技客がパチンコ遊技やパチスロ遊技で獲得した遊技媒体（球，メダル等）は、島端などに設置される遊技媒体計数機において計数される。
遊技媒体計数機は、計数した遊技媒体数を記録媒体（レシート、磁気カードなど）に記録し、これを遊技客に発行する。記録媒体を受け取った遊技客は、景品交換カウンタへ行き、記録媒体を遊技場の店員に渡し、店員は、景品交換装置に接続された読み取り装置（バーコードリーダ、磁気カードリーダなど）によって、記録媒体から遊技媒体数を読み取る。
【０００３】
景品交換装置では、読み取った遊技媒体数で交換可能な特殊景品の個数を算出して表示するとともに、特殊景品への交換ができない余り遊技媒体数を表示する。
ここで、余り遊技媒体は、通常、一又は複数の小額景品（タバコ、チョコレートなど）に交換される。この場合、景品交換カウンタの店員は、余り遊技媒体数を遊技客に告げ、交換を望む小額景品の選択を促す。遊技客が小額景品を選択すると、店員の入力操作に応じて、景品交換装置が余り遊技媒体数を減算する。
このようなやり取りは、余り遊技媒体数が小額景品の最低交換単価未満になるまで繰り返される。
【０００４】
ところで、近年では、遊技客に対して小額景品を画面表示し、その画面操作にもとづいて、遊技客に小額景品を選択させる景品交換管理装置も提案されている（例えば、特許文献１参照）。
このような景品交換管理装置によれば、遊技客は、店員を介さずに一又は複数の小額景品を選択することが可能になる。
【０００５】
【特許文献１】特開平１１−７６５７８号公報
【発明の開示】
【発明が解決しようとする課題】
【０００６】
しかしながら、一般的な遊技客は、余り遊技媒体数や、その余り遊技媒体数で交換可能な小額景品の種類を予め認識している訳ではないので、小額景品を選択する際に迷うことが多い。特に、余り遊技媒体数が比較的多く、遊技客が複数の小額景品を選択する必要がある場合には、景品交換処理に時間がかかってしまい、景品交換カウンタが混雑する等の問題がある。
そして、このような問題は、遊技客自身が小額景品の選択操作を行う特許文献１の景品交換管理装置でも、同様に発生しうる問題である。
【０００７】
また、遊技客が選択する小額景品の種類は、遊技場にとって予想が困難であり、通常、選択される小額景品の種類には偏りがある。
その結果、遊技場側にとっては、小額景品の在庫バランスが崩れる等の問題が生じるとともに、例えば、賞味期限のある食品系の小額景品などについて賞味期限切れによる損失が発生する可能性もある。
【０００８】
本発明は、以上のような従来の技術が有する課題を解決するために提案されたものであり、小額景品の交換処理を迅速化し、景品交換カウンタの混雑を緩和できるだけでなく、小額景品の在庫管理を適正化することができる景品交換システム及び景品交換装置の提供を目的とする。
【課題を解決するための手段】
【０００９】
上記目的を達成するため、本発明の景品交換システムは、請求項１に記載するように、遊技客が獲得した遊技媒体を計数し、計数した遊技媒体数を記録媒体に記録して発行する遊技媒体計数機と、前記記録媒体から遊技媒体数を読み取り、その景品交換処理を行う景品交換装置と、を備える景品交換システムであって、前記景品交換装置は、前記遊技媒体計数機で計数された遊技媒体数に基づいて、当該遊技媒体数で交換可能な特殊景品と、特殊景品に交換できない余り遊技媒体数の範囲内で交換可能な少額景品を特定する景品特定手段と、前記余り遊技媒体数の範囲内で交換可能な小額景品の中から、一又は二以上の所定の推奨小額景品を抽出・提示する推奨小額景品提示手段とを備える構成としてある。
【００１０】
このようにすると、遊技者側に余り遊技媒体で交換可能な少額景品として、遊技場が推奨する推奨少額景品がモニタを介して選択可能に提示されるので、遊技者が小額景品の選択に要する時間を短縮することができる。
これにより、遊技場における小額景品の交換処理を迅速化し、景品交換カウンタの混雑を緩和できる。特に、余り遊技媒体数が比較的多く、遊技客が複数の小額景品を選択する必要がある場合において、遊技場が推奨する小額景品の組み合わせを遊技客に示すことにより、本発明の効果が顕著になる。
【００１１】
また、請求項２に記載するように、前記推奨小額景品提示手段は、各小額景品の在庫数、在庫金額、交換利益及び／又は賞味期限を参照して、推奨する小額景品及び／又は小額景品の組み合わせを決定する構成としてある。
このようにすると、遊技場側にとって、小額景品の在庫バランスを良好に保つことができるとともに、食品系の小額景品の賞味期限切れなども未然に防止することができ、期限切れ等による損失の発生も回避できる。
【００１２】
また、請求項３に記載するように、前記景品交換装置は、前記推奨小額景品の交換を選択した遊技客に対する所定の特典を付与する特典付与手段を備える構成としてある。
このようにすると、遊技客に対する特典の付与により、推奨小額景品の選択・交換を促進することができ、本発明の効果をより高めることができる。なお、特典としては、例えば、ポイントの付与や景品交換率の割り増し等がある。
【００１３】
また、請求項４に記載するように、前記景品交換装置は、遊技客が視認可能な遊技客用表示部と、遊技客が操作可能な遊技客用操作部と、を備える構成としてある。
このようにすると、推奨小額景品をタッチパネル式の液晶ディスプレイ等からなる遊技客用表示部に出力・表示して遊技客に確実に提示できるとともに、遊技客自身のタッチ操作で景品交換処理を速やかに実行することができ、景品交換カウンタの混雑を更に緩和することができる。
【００１４】
また、請求項５に記載するように、前記景品交換装置は、遊技客の要求に応じて、前記余り遊技媒体数に相当する金額を所定の団体に寄付する余り遊技媒体寄付手段を備える構成としてある。
このようにすると、所定の団体に寄付を望む遊技客は、一又は複数の小額景品を選ぶだけでなく、所定団体への余り遊技媒体の寄付を選択することができ、遊技者のボランティア精神を充足することが可能となり、また、遊技者が直ちに寄付を選択することにより、その結果、景品交換処理をより迅速化することが可能になる。
【００１５】
また、請求項６に記載するように、前記景品交換装置は、遊技場の寄付行為を統括する第三者機関の寄付管理サーバに接続され、当該寄付管理サーバに対して寄付依頼を行う構成としてある。
このようにすると、遊技場が個々に寄付行為を行う場合に比べ、寄付に係る処理を簡略化できるとともに、第三者機関を介して寄付することにより、寄付行為の透明性を高めることができる。
【００１６】
また、請求項７に記載するように、前記景品交換装置は、前記寄付管理サーバから受信した複数の団体名を表示し、遊技客による団体名の選択操作に応じて、選択された団体に寄付を行う構成としてある。
このようにすると、遊技客は、複数の団体から任意の団体を選択して、寄付行為を行うことが可能になる。
【００１７】
また、請求項８に記載するように、前記景品交換装置は、前記寄付管理サーバから受信した遊技場又は遊技者の累積寄付金額を表示する構成としてある。
このようにすると、寄付行為の透明性が更に高められるとともに、遊技客による寄付行為を促進できる。
【００１８】
また、本発明の景品交換装置は、請求項９に記載するように、遊技媒体計数機で発行される記録媒体から遊技媒体数を読み取り、その景品交換処理を行う景品交換装置であって、前記遊技媒体計数機で計数された遊技媒体数に基づいて、当該遊技媒体数で交換可能な特殊景品と、特殊景品に交換できない余り遊技媒体数の範囲内で交換可能な少額景品を特定する景品特定手段と、前記余り遊技媒体数の範囲内で交換可能な小額景品の中から、一又は二以上の所定の推奨小額景品を抽出・提示する推奨小額景品提示手段と、を備える構成としてある。
このように本発明は、景品交換システムとしてだけでなく、景品交換システムに備えられる景品交換装置としても実施することができる。
【発明の効果】
【００１９】
本発明によれば、遊技場が推奨する小額景品やその組み合わせを遊技客に提示することにより、遊技者が小額景品の選択に要する時間を短縮することができる。
これによって、小額景品の交換処理を迅速化し、景品交換カウンタの混雑を緩和できるだけでなく、小額景品の在庫バランスを維持し、在庫管理の適正化を図ることができる。
【発明を実施するための最良の形態】
【００２０】
以下、本発明の景品交換システム及び景品交換装置の好ましい実施形態について、図面を参照して説明する。
図１は、本発明の一実施形態に係る景品交換システムのブロック図であり、図２は、本発明の一実施形態に係る景品交換システムに備えられる遊技媒体計数機の斜視図である。
図３は、本発明の一実施形態に係る景品交換システムに備えられる景品交換端末の正面図（背面図）、図４は、同じく景品交換端末の側面図である。
図１に示すように、本実施形態に係る景品交換システムには、パチンコ機やパチスロ機（スロットマシン）が複数設置される遊技場（ホール）に備えられる景品交換システムであり、遊技媒体計数機１０、景品交換装置２０、寄付管理サーバ３０などが含まれる。
【００２１】
また、本実施形態の景品交換システムには、スロットマシン、パチンコ機などの遊技機４０や、遊技機４０の情報を管理する遊技情報管理装置（ホールコンピュータ）５０がネットワークを介して通信可能に接続される。
なお、遊技機４０やホールコンピュータ５０については、本実施形態では景品交換システムにネットワーク接続されているが（図１参照）、これらは必ずしも景品交換システムと接続されていなくてもよい。
【００２２】
図１及び図２に示すように、本実施形態の遊技媒体計数機１０は、遊技客が獲得したメダル、遊技球などの遊技媒体を計数する計数機本体１１と、計数機本体１１の計数結果をレシートなどの記録媒体１３に記録して発行する記録媒体発行装置１２とを備えて構成されている。
記録媒体１３に記録されるデータとしては、計数した遊技媒体の総数、交換可能な特殊景品数、特殊景品に交換できない余り遊技媒体数、計数した日時、遊技していた遊技機４０の台番号などを含むことができる。
なお、余り遊技媒体数は、計数した遊技媒体数を特殊景品の最低単価（例えば、５００円に相当する遊技媒体数）で除算し、その余りとして求めることができる。
【００２３】
図１に示すように、本実施形態の景品交換装置２０は、景品交換管理装置２１と、景品交換端末２２とを備えて構成されている。
なお、景品交換管理装置２１や景品交換端末２２は、コンピュータで構成されており、所定の景品交換プログラムを導入することにより、本発明の景品交換装置として動作させることができる。
【００２４】
景品交換管理装置２１は、記録媒体１３の認証、景品交換に関する情報管理、景品の在庫管理などを行う。
記録媒体１３の認証は、景品交換端末２２において記録媒体１３からデータを読み取ったときに実行される。このとき、景品交換管理装置２１は、遊技媒体計数機１０や遊技情報管理装置５０と通信を行い、記録媒体１３から読み取ったデータの正当性を認証する。その後、景品交換端末２２において景品交換処理が行われると、景品交換管理装置２１が管理している景品交換に関する情報や景品の在庫情報が更新される。
【００２５】
景品の在庫情報としては、特殊景品に係る仕入数、仕入金額、払出数、払出金額、店頭在庫数、店頭在庫金額などや、一般景品（小額景品）に係る仕入数、仕入金額、払出数、払出金額、倉庫在庫数、倉庫在庫金額、店頭在庫数、店頭在庫金額、倉庫店頭間移動数、倉庫店頭間移動金額、賞味期限などを含むことができる。
仕入金額及び在庫金額は、実際仕入金額であり、払出金額は、各景品毎に設定された交換遊技媒体数に遊技媒体の交換単価を乗じた金額である。
【００２６】
ここで、特殊景品は、通常、仕入金額に手数料が含まれるので、交換毎に損金が発生する。一方、一般景品は、通常、仕入金額よりも払出金額が高いので、交換毎に利益が発生する。
例えば、チョコレート、あめ、せんべいを、それぞれ単価５０円、５５円、６０円で仕入れ、単価１００円相当の遊技媒体（例えば、メダル５枚又は遊技球２５個）と交換する場合、それぞれ５０円、４５円、４０円の交換利益が得られる。
【００２７】
図３及び図４に示すように、景品交換端末２２は、端末本体２３と、バーコードリーダ２４と、店員用表示部２５と、遊技客用表示部２６とを備えている。
端末本体２３は、景品交換管理装置２１などとの通信機能を備えたコンピュータにより構成される。
バーコードリーダ２４は、遊技媒体計数機１０が発行した記録媒体１３から遊技媒体数などのデータを読み取る。
店員用表示部２５及び遊技客用表示部２６は、それぞれが店員側、遊技客側を向くように背中合わせ状に配置される。また、本実施形態の店員用表示部２５及び遊技客用表示部２６は、タッチパネル付きの液晶表示パネルで構成されており、店員用操作部や遊技客用操作部として兼用される。
【００２８】
寄付管理サーバ３０は、遊技場の寄付行為を統括する第三者機関が運営するものであり、インターネットなどを介して複数の遊技場（景品交換装置２０）と接続される。寄付管理サーバ３０は、景品交換装置２０からの要求に応じて、寄付が可能な団体名や、遊技場又は遊技者の累積寄付金額を送信する寄付情報応答機能、景品交換装置２０から寄付依頼を受け付ける寄付受付機能、所定の期間毎（例えば、月末）に寄付依頼金額を集計し、各遊技場に請求する請求機能などを備えている。
なお、寄付の対象とする団体に制限はない。例えば、慈善事業団体、福祉団体、公的基金、災害基金などが含まれる。
【００２９】
つぎに、景品交換装置２０の機能について、図５及び図６を参照して説明する。
図５は、本実施形態に係る景品交換端末の表示画面の一例（おすすめ画面）を示す説明図、図６は、同じく本実施形態に係る景品交換端末の表示画面の他の一例（寄付画面）を示す説明図である。
これらの図に示すように、景品交換端末２２は、記録媒体１３から遊技媒体数などのデータを読み取ると、それを認証した後、遊技媒体数、交換可能な特殊景品数、特殊景品に交換できない余り遊技媒体数などを画面の所定箇所に表示する。それに加えて表示画面には、種別ボタンＡ、景品ボタンＢ、決定ボタンＣ、戻りボタンＤなどが表示される。
【００３０】
種別ボタンＡは、景品の種別を示しており、おすすめボタン、食料品ボタン、飲料ボタン、タバコボタン、雑貨ボタン、高額商品Ａボタン、寄付金Ａボタン、寄付金Ｂボタンなどが含まれる。例えば、食料品ボタン、飲料ボタン、タバコボタン又は雑貨ボタンをタッチ操作すると、その種別に含まれる複数の景品名が景品ボタンＢとして表示される。そして、これらの景品ボタンＢから遊技客が望むものを選択し、その後に決定ボタンＣをタッチ操作することにより、景品交換処理が実行される。本発明は、おすすめボタン操作に応じて実行されるおすすめ機能（推奨小額景品提示手段）や、寄付金ボタン操作に応じて実行される寄付機能（余り遊技媒体寄付手段）に特徴を有しており、以下、両機能について説明する。
【００３１】
おすすめ機能は、余り遊技媒体数の範囲内で交換可能な小額景品の中から、遊技場が推奨する小額景品や小額景品の組み合わせを遊技客に提示する機能である。例えば、おすすめボタンをタッチ操作すると、図５に示すように、推奨小額景品として、チョコレート、あめ及びせんべいの組み合せが表示される。このような機能によれば、遊技者が小額景品の選択に要する時間を短縮できるので、小額景品の交換処理を迅速化し、景品交換カウンタの混雑を緩和できる。
【００３２】
推奨する小額景品は、各小額景品の在庫数、在庫金額、交換利益及び／又は賞味期限を参照して決定することができる。例えば、在庫数の多い物から優先的に推奨するようにすれば、小額景品の在庫バランスを良好に保つことができ、また、賞味期限が切れそうな小額景品から優先的に推奨するようにすれば、賞味期限切れによる損失の発生も回避できる。
【００３３】
遊技客が推奨された小額景品への交換を望む場合は、画面に表示されたおまかせボタンＥを遊技客又は店員がタッチ操作する。これにより、推奨された小額景品への交換が確定し、景品交換に関する情報や在庫情報の更新が行われる。
また、推奨された小額景品への交換が確定した場合には、推奨小額景品への交換を承諾した遊技客に対して、所定の特典を付与することが好ましい。遊技客に付与する特典としては、例えば、レシートやクーポン券，ポイントカード等によって付与されるポイントや、景品交換率の割り増し等がある。
このように所定の特典を付与することにより、推奨小額景品への交換が促進されるので、景品交換処理をより迅速に行うことが可能になる。
【００３４】
寄付機能は、遊技客の要求に応じて、余り遊技媒体数に相当する金額を所定の団体に寄付する機能である。例えば、寄付Ｂボタンをタッチ操作すると、図６に示すように、寄付行為が可能な複数の団体名として、ユニセフ、赤十字、復興支援、天災、福祉施設、地域支援などが表示される。そして、これらの中から任意の団体を選択し、決定ボタンＣをタッチ操作することにより、寄付が実行される。このような機能によれば、所定の団体に寄付を望む遊技客は、複数の小額景品を選ぶことなく、直ちに寄付を選択することになるので、景品交換処理をより迅速化することが可能になる。
【００３５】
遊技客が寄付操作を行った場合、景品交換端末２２は、第三者機関の寄付管理サーバ３０に対して寄付依頼を行うことが好ましい。このようにすれば、遊技場が個々に寄付行為を行う場合に比べ、寄付に係る処理を簡略化できるだけでなく、第三者機関を介して寄付することにより、寄付行為の透明性を高めることができる。
また、図６に示すように、寄付操作画面においては、寄付管理サーバ３０から受信した遊技場又は遊技者の累積寄付金額（又は遊技媒体数）を表示することが好ましい。このような機能によれば、寄付行為の透明性が更に高められるだけでなく、遊技客による寄付行為を促進できる。
なお、第三者機関は、複数であってもよい。この場合、寄付Ａボタンと寄付Ｂボタンによって第三者機関を選択することができる。
【００３６】
つぎに、景品交換装置２０（景品交換端末２２）の制御手順について、図７〜図９を参照して説明する。
図７は、本発明の実施形態に係る景品交換装置の制御手順（メイン）を示すフローチャート、図８は、本発明の実施形態に係る景品交換装置の制御手順（おすすめ処理）を示すフローチャート、図９は、本発明の実施形態に係る景品交換装置の制御手順（寄付処理）を示すフローチャートである。
【００３７】
図７に示すように、景品交換端末２２は、まず、バーコードリーダ２４による記録媒体１３の読み取り操作を判断し（Ｓ１０１）、この判断結果がＹＥＳの場合は、読み取ったデータの認証処理を行った後（Ｓ１０２）、読み取った遊技媒体数に基づいて、特殊景品数や余り遊技媒体数を演算・抽出する（Ｓ１０３：余り遊技媒体数特定手段）。
つぎに、演算した特殊景品数や余り遊技媒体数を画面表示するとともに（Ｓ１０４）、いずれかの種別ボタンＡがタッチ操作されるまで、この表示を繰り返す。いずれかの種別ボタンＡがタッチ操作されたら（Ｓ１０５）、その種別に応じて、おすすめ処理（Ｓ１０６：推奨小額景品提示手段）や、寄付処理（Ｓ１０７：余り遊技媒体寄付手段）、その他の通常の景品の選択処理（食料品処理等）を実行し、その後、所定の終了処理（Ｓ１０８）を実行して、一回の景品交換処理が終わる。
【００３８】
図８に示すように、おすすめ処理では、まず、余り遊技媒体数の範囲内で交換可能な小額景品の中から、遊技場が推奨する小額景品及び／又は小額景品の組み合わせを決定し（Ｓ２０１）、これを画面に表示する（Ｓ２０２）。その後、戻りボタンＤやおまかせボタンＥのタッチ操作を判断し（Ｓ２０３、Ｓ２０４）、戻りボタンＤが操作された場合は、メインのＳ１０４に戻る。また、おまかせボタンＥが操作された場合は、遊技客にポイントを付与した後（Ｓ２０５：特典付与手段）、メインに復帰する。
【００３９】
図９に示すように、寄付処理では、まず、寄付が可能な団体名や、遊技場又は遊技者の累積寄付金額を寄付管理サーバ３０に要求するとともに（Ｓ３０１）、これらの情報を受け取って画面に表示する（Ｓ３０２）。その後は、団体名を示す景品ボタンＢのタッチ操作に応じて（Ｓ３０３）、選択された団体名を反転表示するとともに（Ｓ３０４）、決定ボタンＣのタッチ操作に応じて（Ｓ３０５）、寄付管理サーバ３０に寄付依頼情報を送信する（Ｓ３０６）。この寄付依頼情報には、選択された団体名、寄付金額、遊技場名、遊技客名などが含まれる。なお、寄付操作画面表示中に戻りボタンＤが操作された場合は（Ｓ３０７）、おすすめ処理と同様、メインのＳ１０４に戻る。
【００４０】
以上説明したように、本実施形態に係る景品交換システムよれば、景品交換装置２０は、記録媒体１３から読み取った遊技媒体数のうち、特殊景品に交換できない余り遊技媒体数を特定するとともに、余り遊技媒体数の範囲内で交換可能な小額景品の中から、遊技場が推奨する小額景品や小額景品の組み合わせを遊技客に提示するので、遊技者が小額景品の選択に要する時間を短縮できる。これにより、小額景品の交換処理を迅速化し、景品交換カウンタの混雑を緩和できる。
【００４１】
また、景品交換装置２０は、各小額景品の在庫数、在庫金額、交換利益、賞味期限等を参照して、推奨する小額景品を決定するので、小額景品の在庫バランスを良好に保つことができるだけでなく、小額景品の賞味期限切れなどを防止して損失の発生も回避できる。
また、景品交換装置２０は、推奨小額景品への交換を承諾した遊技客に対して、所定の特典を付与するので、推奨小額景品への交換を促進することができる。
また、景品交換装置２０は、遊技客が視認可能な遊技客用表示部２６と、遊技客が操作可能な遊技客用操作部（遊技客用表示部２６を兼用）とを備えるので、推奨する小額景品を遊技客に確実に提示できるだけでなく、遊技客自身の操作で景品交換処理を速やかに実行し、景品交換カウンタの混雑を更に緩和できる。
【００４２】
また、景品交換装置２０は、遊技客の要求に応じて、余り遊技媒体数に相当する金額を所定の団体に寄付する機能を備えるので、所定の団体に寄付を望む遊技客は、一又は複数の小額景品を選ぶことなく、直ちに寄付を選択することになり、その結果、景品交換処理をより迅速化することが可能になる。
また、景品交換装置２０は、遊技場の寄付行為を統括する第三者機関の寄付管理サーバ３０に接続され、当該寄付管理サーバ３０に対して寄付依頼を行うので、遊技場が個々に寄付行為を行う場合に比べ、寄付に係る処理を簡略化できるだけでなく、第三者機関を介して寄付することにより、寄付行為の透明性を高めることができる。
【００４３】
また、景品交換装置２０は、寄付管理サーバ３０から受信した複数の団体名を表示し、遊技客による団体名の選択操作に応じて、選択された団体に寄付を行うので、遊技客は、複数の団体から任意の団体を選択して、寄付行為を行うことが可能になる。
また、景品交換装置２０は、寄付管理サーバ３０から受信した遊技場又は遊技者の累積寄付金額を表示するので、寄付行為の透明性が更に高められるだけでなく、遊技客による寄付行為を促進できる。
【００４４】
以上、本発明の景品交換システムについて、好ましい実施形態を示して説明したが、本発明に係る景品交換システムは、上述した実施形態にのみ限定されるものではなく、本発明の範囲で種々の変更実施が可能であることは言うまでもない。
例えば、上述した実施形態では、本発明の景品交換システムが適用される遊技場の遊技機としてパチンコ機やパチスロ機（スロットマシン）を例に説明したが、本発明が適用可能な遊技場に設置される遊技機としては、特にパチンコ機やスロットマシンに限定されるものではなく、遊技の結果遊技媒体が払い出されて景品交換が行われる遊技機である限り、遊技機の種類や設置態様，設置数等は特に限定されず、どのような遊技機や遊技場に対しても適用することができる。
一般に、遊技場に設置される遊技機としては、パチンコ機やスロットマシンの他、例えば、アレンジボール機，雀球機等、玉やコイン等の遊技媒体を使用して遊技を行う各種の遊技機があり、これらの遊技機をどのような態様等で設置する遊技場であっても、本発明の景品交換システムの対象とすることができる。
【産業上の利用可能性】
【００４５】
本発明は、遊技客が獲得した遊技媒体の景品交換処理を行うための景品交換システム及び景品交換装置に適用される。特に、景品交換カウンタの混雑を緩和したり、小額景品の在庫管理が適正化されることを望む遊技場において有用である。
【図面の簡単な説明】
【００４６】
【図１】本発明の一実施形態に係る景品交換システムのブロック図である。
【図２】本発明の一実施形態に係る遊技媒体計数機の斜視図である。
【図３】本発明の一実施形態に係る景品交換端末の正面図（背面図）である。
【図４】本発明の一実施形態に係る景品交換端末の側面図である。
【図５】本発明の一実施形態に係る景品交換端末の表示画面（おすすめ画面）を示す説明図である。
【図６】本発明の一実施形態に係る景品交換端末の表示画面（寄付画面）を示す説明図である。
【図７】本発明の一実施形態に係る景品交換装置の制御手順（メイン）を示すフローチャートである。
【図８】本発明の一実施形態に係る景品交換装置の制御手順（おすすめ処理）を示すフローチャートである。
【図９】本発明の一実施形態に係る景品交換装置の制御手順（寄付処理）を示すフローチャートである。
【符号の説明】
【００４７】
１０  遊技媒体計数機
１１  計数機本体
１２  記録媒体発行装置
１３  記録媒体
２０  景品交換装置
２１  景品交換管理装置
２２  景品交換端末
２３  端末本体
２４  バーコードリーダ
２５  店員用表示部
２６  遊技客用表示部
３０  寄付管理サーバ
４０  遊技機
５０  遊技情報管理装置
Ａ  種別ボタン
Ｂ  景品ボタン
Ｃ  決定ボタン
Ｄ  戻りボタン
Ｅ  おまかせボタン
【図１】
2006346354.tif 000003
【図２】
2006346354.tif 000004
【図３】
2006346354.tif 000005
【図４】
2006346354.tif 000006
【図５】
2006346354.tif 000007
【図６】
2006346354.tif 000008
【図７】
2006346354.tif 000009
【図８】
2006346354.tif 000010
【図９】
2006346354.tif 000011